(57)【要約】【課題】新規な吸収性物品を提供する。【解決手段】吸収性物品１は、シート３０と、シート３０に対して着用者の肌面側に配置された吸収体１０と、を備え、シート３０が、平面視したときに一方向に沿って延在し、厚み方向に突出する複数の第一凸部３０ａと、隣接する第一凸部３０ａ同士の間に位置し、一方向に沿って延在し、厚み方向に突出する複数の第二凸部３０ｂと、を有し、第一凸部３０ａの突出寸法Ｈ１が、第二凸部３０ｂの突出寸法Ｈ２よりも大きい。【選択図】図２
2019063323.tif 000002
【特許請求の範囲】
【請求項１】
シートと、
前記シートに対して着用者の肌面側に配置された吸収体と、を備え、
前記シートが、
平面視したときに一方向に沿って延在し、厚み方向に突出する複数の第一凸部と、
隣接する前記第一凸部同士の間に位置し、前記一方向に沿って延在し、前記厚み方向に突出する複数の第二凸部と、を有し、
前記第一凸部の突出寸法Ｈ１が、前記第二凸部の突出寸法Ｈ２よりも大きい、
吸収性物品。
【請求項２】
前記一方向が長手方向に一致する、請求項１に記載の吸収性物品。
【請求項３】
前記吸収体が複数の貫通孔を有する、請求項１又は２に記載の吸収性物品。
【請求項４】
前記複数の貫通孔が、平面視したときの幅方向の中心を通る長手方向に沿った対称軸に対して、線対称に配置される、請求項３に記載の吸収性物品。
【請求項５】
前記貫通孔は、平面視したときの長手方向の中心から前記長手方向に沿って、面積が次第に小さくなる、請求項３又は４に記載の吸収性物品。
【請求項６】
隣接する前記貫通孔同士の間隔が、平面視したときの長手方向の中心から前記長手方向に沿って、次第に大きくなる、請求項３〜５の何れか一項に記載の吸収性物品。
【請求項７】
前記吸収体が複数配置される、請求項１〜６の何れか一項に記載の吸収性物品。
【請求項８】
前記複数の吸収体が、長手方向及び／又は幅方向に沿って互いに離間配置される、請求項７に記載の吸収性物品。
【請求項９】
少なくとも一方の面に溝が設けられた液不透過性のシートと、
前記シートに対して着用者の肌面側に配置された吸収体と、を備えた吸収性物品。
【発明の詳細な説明】
【技術分野】
【０００１】
本発明は吸収性物品に関する。
【背景技術】
【０００２】
従来、紙おむつや生理用ナプキンといった吸収性物品が知られている。吸収性物品には、着用者から排泄される尿や経血などの水分を吸収する吸収体が、シート状の構成物に狭装されている。この吸収体の通気性や吸水性や高めるために、特許文献１では、吸収体の肌面側に圧搾溝の成形された吸収性物品が提案されている。
【０００３】
しかし、吸収性物品には、吸水性のさらなる向上が望まれている。
【先行技術文献】
【特許文献】
【０００４】
【特許文献１】特開２０１４−１９８１１３号公報
【発明の概要】
【発明が解決しようとする課題】
【０００５】
本発明は、新規な吸収性物品を提供することを目的とする。
【課題を解決するための手段】
【０００６】
上記の目的を達成するために、本件の吸収性物品は、シートと、前記シートに対して着用者の肌面側に配置された吸収体と、を備え、前記シートが、平面視したときに一方向に沿って延在し、厚み方向に突出する複数の第一凸部と、隣接する前記第一凸部同士の間に位置し、前記一方向に沿って延在し、前記厚み方向に突出する複数の第二凸部と、を有し、前記第一凸部の突出寸法Ｈ１が、前記第二凸部の突出寸法Ｈ２よりも大きい。
【０００７】
また、本件の吸収性物品は、少なくとも一方の面に溝が設けられた液不透過性のシートと、前記シートに対して着用者の肌面側に配置された吸収体と、を備えている。
【発明の効果】
【０００８】
本件の吸収性物品によれば、着用者から排泄される水分を吸収体の全域に拡散し、当該水分を吸収体に効率よく吸収させることができる。
【図面の簡単な説明】
【０００９】
【図１】第一実施形態で例示する紙おむつ（吸収性物品）の展開図である。
【図２】図１のＡ−Ａ矢視断面図である。なお、図２では、各構成を把握しやすくするため、各シート類の厚みを誇張して示す。
【図３】吸収性物品におけるシートを説明するための要部断面を示す模式図である。なお、図３では、シートの構造を把握しやすくするため、その厚みを誇張して示す。
【図４】吸収性物品におけるシートを示す模式的な平面図である。
【図５】図４のＢ−Ｂ矢視断面図である。なお、図５では、シートの構成を把握しやすくするため、その厚みを誇張して示す。
【図６】第一実施形態に係る吸収性物品における吸収体の第一の態様を示す模式的な平面図である。
【図７】第一実施形態に係る吸収性物品における吸収体の第二の態様を示す模式的な平面図である。
【図８】第一実施形態に係る吸収性物品における吸収体の第三の態様を示す模式的な平面図である。
【図９】第一実施形態に係る吸収性物品における吸収体の第四の態様を示す模式的な平面図である。
【図１０】第二実施形態に係る吸収性物品における吸収体を示す模式的な平面図である。
【図１１】その他の実施形態に係る吸収性物品における吸収体とシートを示す模式的な平面図である。
【発明を実施するための形態】
【００１０】
以下、本件を実施するための形態を説明する。本実施形態で述べる吸収性物品は、着用時に着用者から排泄される尿や経血といった液体の水分（以下「排泄水分」という）を吸収体で吸収し保持する衛生用品である。この吸収性物品には、テープ型やパンツ型の紙おむつ（いわゆる「使い捨ておむつ」）のほか、尿パッド、生理用ナプキン、パンティーライナーといったものなども含まれる。
以下の実施形態では、吸収性物品としてパンツ型の紙おむつを例示する。
【００１１】
本実施形態では、紙おむつについて、着用者の腹部に対向して配置される前身頃と背部に対向して配置される後身頃とを結ぶ方向を長手方向とする。これらの前身頃と後身頃との間（長手方向の中央）には、着用者の股下に配置（股間に対向して配置）される股下部が位置する。
また、紙おむつが着用された状態（以下「着用状態」と略称する）において、着用者の肌に向かう側（内側）を肌面側とし、肌面側の反対側（外側）を非肌面側とする。さらに、肌面側と非肌面側とを結ぶ方向を厚み方向とし、長手方向と厚み方向の何れにも直交する方向を幅方向とする。そのほか、厚み方向から視ることを平面視とする。
【００１２】
紙おむつにおける各構成の向きについては、例えば長手方向に沿うと表現する場合に、長手方向と平行なことだけでなく、ほぼ長手方向と平行なことも含むものとする。具体的には、長手方向に対する傾斜角度が３０°未満で延在することを長手方向に沿うものとする。同様に、幅方向や厚み方向といった各方向に沿うと表現する場合についても、各方向に対する傾斜角度が３０°未満で延在することを意味する。なお、本明細書において、例えば「１〜１００」との数値範囲の表記は、その下限値「１」及び上限値「１００」の双方を包含するものとする。また、他の数値範囲の表記も同様である。
【００１３】
［Ｉ．第一実施形態］
［１．吸収性物品（紙おむつ）］
以下、図１及び図２を参照して、紙おむつ１の基本的な構成を説明する。
ここでは、紙おむつ１は幅方向の中心線ＣＬを基準として対称に構成されている。この紙おむつ１は、長手方向Ｌに沿って前身頃１Ａ、股下部１Ｂおよび後身頃１Ｃの三つの領域に大別される。
【００１４】
〈シート類〉
紙おむつ１のシート類について、シート３０、吸収体１０、トップシート１１、バックシート１２、サイドシート１３、カバーシート１４及びギャザー１５の順に説明する。
〔シート〕
シート３０は、排泄水分をすぐに透過させず、その表面において排泄水分をある程度濡れ広がらせる材料（以下、液不透過性材料という）によって構成されるフィルム状の部材である。液不透過性の材料としては、例えば、ポリエチレン、ポリプロピレン等のポリオレフィン樹脂等が挙げられる。したがって、シート３０は液不透過性を有する。
また、シート３０に透湿性を付与することもできる。透湿性を有するシート３０としては、例えば、０．１〜０．４μｍの微細な孔が複数形成されたシート等を挙げることができる。このようなシート３０は、液不透過性の材料中に無機充填剤を混錬してフィルム化した後に、延伸することで得られる。
【００１５】
図１及び図２に示すように、紙おむつ１において、シート３０は、吸収体１０に対して着用者の非肌面側に配置され、シート３０の表面が吸収体１０に対向する。
また、図３及び図４に示すように、シート３０の表面には、第一凸部３０ａ及び第二凸部３０ｂが形成される。第一凸部３０ａは一方向に沿って延在し、シート３０の厚み方向Ｔの肌面側に突出している。また、第二凸部３０ｂは隣接する第一凸部３０ａ同士の間に位置し、第一凸部３０ａと同様に一方向に沿って延在し、シート３０の厚み方向Ｔの肌面側に突出している。そして、図３に示すように、第一凸部３０ａの突出寸法Ｈ１は、第二凸部３０ｂの突出寸法Ｈ２よりも大きい。
【００１６】
言い換えれば、シート３０の表面には、隣接する第一凸部３０ａ同士により区切られた複数の第一溝３０ｄが形成されている。また、シート３０の表面には、隣接する第二凸部３０ｂ同士、又は、隣接する第一凸部３０ａと第二凸部３０ｂとにより区切られた複数の第二溝３０ｅが形成されている。そして、図３に示すように、第一溝３０ｄと第二溝３０ｅとを含む溝状構造は、一方向に沿って延在し、且つ、当該一方向及び厚み方向に直交する方向に繰り返されて、シート３０の表面全域にわたって並設されている。
なお、溝状構造は一方向に延在していれば、平面視において直線状であっても曲線状であってもよい。
【００１７】
一般に、着用時の紙おむつ１に対する排泄水分の分布は、紙おむつ１の中央領域にピークを有する上方凸型の曲線で示される。つまり、主な排泄水分は、吸収体１０の中央領域で吸収される。一度に多量の水分が吸収体１０に排泄されると、吸収体１０の端部領域では排泄水分を吸収することが可能であるにも関わらず、吸収体１０が排泄水分を吸収しきる前に、排泄水分が吸収体１０の非肌面側に漏出することがある。このような現象は、特に、吸収体１０の中央領域で顕著に起こる。
なお、中央領域とは、例えば、股下部１Ｂに対応する領域であり、特に紙おむつ１の中心を含む領域又は中心近傍の領域をいう。また、端部領域とは、例えば、前身頃１Ａ又は後身頃１Ｃに対応する領域であり、特に吸収体１０の長手方向Ｌにおける端部を含む領域をいう。
【００１８】
排泄水分が吸収体１０の非肌面側に漏出した場合であっても、上述のように構成されたシート３０を吸収体１０の非肌面側に配置することで、排泄水分をシート３０の表面全域に拡散し、吸収体１０の非肌面側から、排泄水分を吸収体１０に効率よく吸収させることができる。
つまり、吸収体１０から漏出した排泄水分がシート３０の表面に接触すると、排泄水分はシート３０表面の溝状構造に沿って濡れ広がる。また、排泄水分は第一凸部３０ａを乗り越え、隣接する溝状構造にも濡れ広がり、並設された溝状構造に沿ってさらに濡れ広がる。したがって、シート３０によれば、一方向に延在する溝状構造により、漏出した排泄水分をシート３０の延在面に沿って拡散させることができる。シート３０の表面に拡散した排泄水分は、吸収体１０の非肌面側から吸収体１０に効率よく吸収されるため、紙おむつ１から排泄水分の漏出が抑制される。
また、シート３０と吸収体１０との間には、複数の第一凸部３０ａと複数の第二凸部３０ｂにより構成される溝状構造によって、空隙が形成されるため通気性に優れる。したがって、シート３０の表面に拡散した排泄水分を揮発させることもでき、着用者の快適性が向上する。
【００１９】
また、図３に示すように、第一凸部３０ａの突出寸法Ｈ１は、第二凸部３０ｂの突出寸法Ｈ２よりも大きければ特に限定されない。例えば、第一凸部３０ａの突出寸法Ｈ１は３０〜１５０μｍである。また、第二凸部３０ｂの突出寸法Ｈ２は１０〜５０μｍである。なお、複数形成される第一凸部３０ａの突出寸法Ｈ１は同じであっても、互いに異なっていてもよい。また、複数形成される第二凸部３０ｂの突出寸法Ｈ２は同じであっても、互いに異なっていてもよい。
シート３０の厚み寸法Ｈ３は特に限定されない。紙おむつ１の柔軟性や着用者のフィット性を向上させる観点からは、通常１６０μｍ以下、好ましくは１００μｍ以下、より好ましくは６０μｍ以下である。一方、シート３０の耐久性を向上させる観点からは、通常３５μｍ以上、好ましくは４０μｍ以上である。
さらに、図３に示すように、第一凸部３０ａの幅寸法Ｗ１、第二凸部３０ｂの幅寸法Ｗ２、第一溝３０ｄの幅寸法Ｗ３、及び、第二溝３０ｅの幅寸法Ｗ４は特に限定されない。例えば、Ｗ１は１０〜５０μｍであり、Ｗ２は１０〜５０μｍであり、Ｗ３は１５０〜３００μｍであり、Ｗ４は１０〜５０μｍである。なお、並設される第一凸部３０ａの幅寸法Ｗ１は同じであっても、互いに異なっていてもよい。幅寸法Ｗ２、Ｗ３、及びＷ４も同様である。
【００２０】
上記のような構成を有するシート３０では、第一凸部３０ａ及び第二凸部３０ｂが延在する方向（溝状構造の方向）について特に制限はないが、以下に示す態様が好ましい。
【００２１】
シート３０は、図１及び図２に示すように、第一凸部３０ａ及び第二凸部３０ｂの延在する方向が、紙おむつ１及びシート３０の長手方向Ｌに沿った態様が好ましい。具体的には、第一凸部３０ａが延在する一方向は長手方向Ｌに一致しており、第二凸部３０ｂの延在する方向も長手方向Ｌに一致している。
【００２２】
第一凸部３０ａ及び第二凸部３０ｂを長手方向Ｌに沿って延在させると、吸収体１０の非肌面側から漏出した排泄水分の濡れ広がりを長手方向Ｌに誘導することができる。一般に、吸収体１０は長手方向Ｌに延在する。排泄水分の濡れ広がりを長手方向Ｌに誘導することで、排泄水分を、吸収体１０の非肌面側全域に効率よく拡散し、吸収することができる。
また、シート３０は、着用者の姿勢によっては、前身頃１Ａや後身頃１Ｃに対応する部分が垂直方向上方（重力方向上方）等に向けて屈曲されうる。このような場合であっても、上記構成のシート３０によれば、高さ寸法の異なる複数の凸部３０ａ，３０ｂに起因した毛細管現象により、溝状構造に沿って排泄水分を垂直方向上方（重力方向上方）等にも吸い上げ、拡散することができる。
したがって、上記構成のシート３０によれば、着用者の姿勢に関わらず、排泄水分の拡散性に優れ、前身頃１Ａや後身頃１Ｃに位置する吸収体１０の吸収性を有効に利用できる。
なお、シート３０の原反（例えば、裁断等の後加工をする前の状態のもの）の長手方向と、紙おむつ１の長手方向Ｌとは異なっていてもよい。
【００２３】
また、図４及び図５に示すように、シート３０は、第一凸部３０ａ及び第二凸部３０ｂが延在する方向の両端に堰状部３０ｃを備えてもよい。堰状部３０ｃにより、シート３０の両端における凸部間の空隙が閉じられ、長手方向両端部において排泄水分が堰き止められるため、排泄水分の漏出を抑制できる。堰状部３０ｃの形成方法は特に限定されない。例えば、シート３０の製造時において、端部を切断する際の切断刃の応力によりフィルムを変形させて堰状部３０ｃを形成する方法が挙げられる。また、切断の際に熱をかけ、シート３０の端部を溶かして堰状部３０ｃを形成することもできる。
【００２４】
また、熱・超音波等により凸部を溶解し、シート３０の両端以外の凸部間に堰状部を設けてもよい。さらに、予め堰状部が形成されるように第一凸部３０ａ及び第二凸部３０ｂを形成してもよい。シート３０が両端以外の凸部間に堰状部を備えると、排泄水分が溝状構造に沿って濡れ広がりにくくなり、排泄水分は第一凸部３０ａを乗り越え、幅方向Ｗに濡れ広がる。したがって、堰状部の配置によって、長手方向Ｌ及び幅方向Ｗにバランスよく排泄水分を分散させることが可能になる。
【００２５】
シート３０の幅方向寸法及び長手方向寸法は、吸収体１０と略同一である。吸収体１０とシート３０とは、ホットメルト接着剤等の公知の接着剤によって、第一溝３０ｄ及び第二溝３０ｅを潰さないように、全面又は一部が貼合（固定）される。
【００２６】
なお、シート３０の製造方法は特に限定されない。例えば、ナノインプリント法等の従来公知の手法により、液不透過性材料からならフィルムの表面に第一凸部３０ａ及び第二凸部３０ｂを形成してシート３０を得る方法が挙げられる。
【００２７】
〔吸収体〕
図１に示すように、紙おむつ１には、前身頃１Ａ、股下部１Ｂおよび後身頃１Ｃに亘って長手方向Ｌに延びる吸収体１０（太破線で示す）が内蔵されている。ここでは、展開状態の平面視において、前身頃１Ａおよび後身頃１Ｃよりも股下部１Ｂのほうが幅方向寸法の小さい砂時計形状の吸収体１０を例示する。ただし、吸収体１０の平面視形状は、上記したような砂時計形状に限らず、平面視で矩形（すなわち幅方向寸法が一定）であってもよいし、それぞれ円形の前身頃１Ａ及び後身頃１Ｃを結ぶダンベル形状であってもよい。
【００２８】
吸収体１０は、排泄水分を吸収して保持する吸水性を備えたマット状の部材である。この吸収体１０では、粉砕あるいは解繊されたパルプに高吸水性樹脂が混合された吸収マットがラップシートで被包（ラップ）されている。以下、パルプと高吸水性樹脂との混合物を「吸収性材料」という。
【００２９】
また、本実施形態では、吸収体１０に貫通孔１０ａを設けた態様が好ましい。以下において詳述する。
【００３０】
（第一の態様）
図６〜９に示すように、第一の態様の吸収体１０としては、吸収体１０が複数の貫通孔１０ａを有する態様が挙げられる。つまり、第一の態様の吸収体１０には、肌面側の面と非肌面側の面とを貫通する複数の孔（貫通孔１０ａ）が形成されている。なお、貫通孔１０ａには、図６〜９に示すような開口部の他、坪量を他の部位よりも低くして、排泄水分が透過しやすくなるようにした構成も含まれる。
【００３１】
吸収体１０が複数の貫通孔１０ａを有すると、排泄水分の量に関わらず、貫通孔１０ａを介して、排泄水分を吸収体１０の肌面側から非肌面側に透過させることができる。吸収体１０の非肌面側に透過した排泄水分は、シート３０の溝状構造に沿って拡散し、吸収体１０の非肌面側から吸収体１０に効率よく吸収される。
また、排泄水分は貫通孔１０ａの内壁面においても吸収体１０に吸収されるため、排泄水分の吸収性が向上する。
【００３２】
貫通孔１０ａの形状としては、図６に示す円形状や、図７に示す矩形状のほか、多角形状、半円形状、砂時計形状及びレンズ形状といった種々の形状が挙げられる。なお、例えば、円形状には長円形状や楕円形状等の略円形状も含まれ、矩形状には略矩形状といった形状も含まれる。
【００３３】
貫通孔１０ａの幅方向Ｗの長さ寸法は特に限定されない。吸収体１０の吸収性、紙おむつ１の柔軟性及び着用者のフィット性のバランスに優れるという観点から、貫通孔１０ａの幅方向Ｗの長さ寸法は、吸収体１０の幅方向Ｗの長さ寸法に対して通常２０％以上、好ましくは３０％以上、より好ましくは４０％以上である。一方、紙おむつ１の製造時における吸収体１０の取扱性を容易にする観点から、通常７０％以下、好ましくは６０％以下である。貫通孔１０ａの幅方向Ｗの長さ寸法が大きすぎると、吸収体１０自体が破損しやすくなることがある。
なお、幅方向Ｗに複数の貫通孔１０ａが配置される場合には、貫通孔１０ａの幅方向Ｗの長さ寸法の合計が、吸収体１０の幅方向Ｗの長さ寸法に対して上記範囲であればよい。
貫通孔１０ａの長手方向Ｌの長さ寸法は特に限定されない。吸収体１０の吸収性、紙おむつ１の柔軟性及び着用者のフィット性のバランスに優れる観点から、貫通孔１０ａの長手方向Ｌの長さ寸法は、吸収体１０の長手方向Ｌの長さ寸法に対して、通常３０％以上、好ましくは４０％以上、より好ましくは５０％以上である。一方、紙おむつ１の製造時における吸収体１０の取扱性を容易にする観点から、通常９０％以下、好ましくは８０％以下である。なお、長手方向Ｌに複数の貫通孔１０ａが配置される場合には、貫通孔１０ａの長手方向Ｌの長さ寸法の合計が、吸収体１０の長手方向Ｌの長さ寸法に対して上記範囲であればよい。
【００３４】
なお、上記態様の吸収体１０における貫通孔１０ａの配置位置等は特に限定されない。
また、貫通孔１０ａの形成方法も特に限定されない。例えば、吸収体は吸収体型内に吸収性材料を集積して形成されることがある。このとき、吸収体型に貫通孔１０ａに対応する凸部を設けることで、貫通孔１０ａを有する吸収体１０を簡便に得ることができる。
【００３５】
（第二の態様）
図７に示すように、第二の態様の吸収体１０としては、複数の貫通孔１０ａが、平面視したときの幅方向Ｗの中心を通る長手方向Ｌに沿った対称軸に対して、線対称に配置される態様が挙げられる。つまり、第二の態様の吸収体１０では、複数の貫通孔１０ａが中心線ＣＬに対して線対称に配置されている。
なお、図７では、同形状の貫通孔１０ａが、長手方向Ｌに同間隔で配置された例を示すが、上述した線対称に配置されれば、貫通孔１０ａの形状や配置間隔は特に限定されない。
【００３６】
吸収体１０を第二の態様とすることで、貫通孔１０ａを介して吸収体１０の非肌面側に透過する排泄水分の量が調整される。また、長手方向Ｌにおける吸収体１０の肌面側からの排泄水分の吸収量も調整され、吸収体１０の肌面側における排泄水分の幅方向Ｗへの拡散性が向上する。
したがって、排泄水分を吸収体１０の肌面側及び非肌面側の全域で吸収できるようになる。
【００３７】
（第三の態様）
図８に示すように、第三の態様の吸収体１０としては、貫通孔１０ａは、平面視したときの長手方向Ｌの中心から長手方向Ｌに沿って、面積が次第に小さくなる態様が挙げられる。つまり、第三の態様では、吸収体１０の長手方向Ｌの中心から、吸収体１０の端部に向かうにつれて、貫通孔１０ａの面積が小さくなる。したがって、吸収体１０の中央領域に配置される貫通孔１０ａの面積が最大であり、長手方向Ｌにおける前身頃１Ａの端部又は後身頃１Ｃの端部において、貫通孔１０ａの面積が最小になる。
なお、図８では、円形状の貫通孔１０ａを配置した例を示すが、貫通孔１０ａの形状は特に限定されない。
【００３８】
主な排泄水分は、まず吸収体１０の中央領域で吸収される。第三の態様の吸収体１０によれば、吸収体１０の肌面側で拡散し吸収される排泄水分の量と、貫通孔１０ａを介して吸収体１０の非肌面側に透過し、吸収体１０の非肌面側で拡散して吸収される排泄水分の量とのバランスが調整される。
したがって、排泄水分を吸収体１０の肌面側及び非肌面側の全域でバランスよく吸収できる。
従来の紙おむつでは、股下部１Ｂにおける排泄水分の吸収量が多くなる結果、紙おむつが所定の着用位置（当初の着用状態の位置）からズレてしまうことがあった（特に重力方向下方へのズレ）。紙おむつが所定の着用位置からズレると、フィット感の低下や尿漏れ等の問題が発生し、紙おむつの諸機能が発揮しにくくなることがあった。本実施形態の紙おむつ１によれば、吸収体１０の全域に排泄水分をバランスよく拡散できるため、上記問題を解消又は軽減することができる。
【００３９】
また、吸収体１０の中央領域に配置される貫通孔１０ａの面積と同様に、尿道口に対向する領域（尿道口対向領域）に配置される貫通孔１０ａの面積を比較的大きくしてもよい。つまり、この態様では、中央領域及び尿道口対向領域における貫通孔１０ａの面積が比較的大きく、吸収体１０の端部に向かうにつれて貫通孔１０ａの面積が小さくなる。ここで、尿道口対向領域とは、中央領域よりも紙おむつ１の前身頃１Ａ側に位置する領域である。このような態様とすることで、尿道口対向領域において貫通孔１０ａを介して吸収体１０の非肌面側に排泄水分を透過できるため、吸収体１０の非肌面側で拡散して吸収される排泄水分の量が調整される。つまり、シート３０により尿道口対向領域以外に排泄水分が誘導され、吸収体１０の全域に排泄水分がバランスよく拡散されるため、排泄水分を吸収体１０の肌面側及び非肌面側の全域でバランスよく吸収できる。
【００４０】
（第四の態様）
図９に示すように、第四の態様の吸収体１０としては、隣接する貫通孔１０ａ同士の間隔が、平面視したときの長手方向Ｌの中心から長手方向Ｌに沿って、次第に大きくなる態様が挙げられる。つまり、第四の態様では、吸収体１０の長手方向Ｌの中心から、吸収体１０の端部に向かうにつれて、貫通孔１０ａ同士の間隔が大きくなる。したがって、吸収体１０の中央領域に形成される貫通孔１０ａ同士の間隔が最小であり、吸収体１０の長手方向Ｌの端部領域において貫通孔１０ａ同士の間隔が最大になる。
なお、図９では、円形状の貫通孔１０ａを配置した例を示すが、貫通孔１０ａの形状は特に限定されない。
【００４１】
第四の態様の吸収体１０によれば、第三の態様の吸収体１０と同様に、吸収体１０の肌面側で拡散し吸収される排泄水分の量と、貫通孔１０ａを介して吸収体１０の非肌面側に透過し、吸収体１０の非肌面側で拡散して吸収される排泄水分の量とのバランスが調整され、排泄水分を吸収体１０の肌面側及び非肌面側の全域でバランスよく吸収できる。
【００４２】
なお、第三及び第四の態様の吸収体１０による作用及び効果には、貫通孔１０ａの面積割合（吸収体１０の単位面積当たりの貫通孔１０ａの総面積）も関係していると推測される。第三及び第四の態様の吸収体１０では、吸収体１０の中央領域に形成された貫通孔１０ｃの面積割合よりも、吸収体１０の端部領域に形成された貫通孔１０ａの面積割合が小さくなっている。
【００４３】
（他の態様）
他の態様の吸収体１０としては、例えば、上記第一の態様から第四の態様のうちの２以上を組み合わせた態様等が挙げられる。
【００４４】
着用時の紙おむつ１の幅方向Ｗにおける排泄水分の分布に着目すると、紙おむつ１の中心線ＣＬを含む領域にピークを有し、中心線ＣＬを基準として幅方向に線対称な略釣鐘形状又は略台形状の曲線で示される。つまり、幅方向Ｗの端部方向への排泄水分の拡散性が低い傾向にある。
また、排泄水分は吸収体１０の肌面側から吸収されるため、吸収体１０に吸収された排泄水分の分布は、厚み方向Ｔにおいて肌面側が高く、非肌面側に向けて低くなる傾向にある。
したがって、吸収体１０における貫通孔１０ａの形状や配置等を上記のように変えることで、中心線ＣＬを含む領域における排泄水分の吸収体１０へ吸収量を抑制し、排泄水分の幅方向Ｗへの拡散性を向上させるとともに、吸収体１０の非肌面側からも排泄水分を吸収できるようになる。その結果、排泄水分を吸収体１０の肌面側及び非肌面側の全域でバランスよく吸収できるようになる。
【００４５】
このように、吸収性物品の用途や着用者の年齢、性別等に応じて、シート３０における溝状構造の方向、吸収体１０の貫通孔１０ａの大きさ、形状や配置等を変えることで、排泄水分の吸収体１０への吸収量を調整し、着用者の快適性を向上させることができる。
【００４６】
〔トップシート〕
吸収体１０に対して、肌面側にはトップシート１１が積層される。トップシート１１は、最も肌面側に配置されるシート状の部材である。このトップシート１１は、吸収体１０やシート３０よりも幅方向寸法が大きく、吸収体１０を肌面側から被覆する。また、トップシート１１は、紙おむつ１を着用した状態において、着用者の肌に接触して、排泄水分を透過させ、排泄水分を吸収体１０に到達させる。このため、トップシート１１は少なくとも一部又は全部が透水性をもつ材料で構成される。また、トップシート１１は、着用時のフィット性のため、柔軟性が高い材料で構成されることが好ましい。また、着用状態での蒸れを抑えるため、通気性を併せもつ材料で構成されることが好ましい。
【００４７】
トップシート１１を構成する材料としては、例えば、織布、不織布、多孔性フィルム等を用いることができる。また、トップシート１１としては、ポリプロピレン、ポリエチレン、ポリエステル、ナイロン等の熱可塑性樹脂の繊維に親水化処理を施して、不織布にしたものを用いてもよい。トップシート１１を構成する不織布としては、スパンボンド不織布、ニードルパンチ不織布、スパンレース不織布、ＳＭＳ（Spunbound Meltblown Spunbound）不織布等を用いることができる。
【００４８】
〔バックシート〕
バックシート１２は、吸収体１０に対してシート３０よりも非肌面側に配置されるシート状の部材である。バックシート１２は、吸収体１０から非肌面側に排泄物が漏れることを防ぐため、非透水性をもつ材料で構成される。また、バックシート１２は、着用状態での蒸れを抑えるため、透湿性を併せもつ材料で構成されることが好ましい。
【００４９】
バックシート１２を構成する材料としては、例えば、ポリエチレン、ポリプロピレン等の熱可塑性樹脂シートを用いることができる。中でも、バックシート１２としては、０．１〜０．４μｍの微細な孔が複数形成された微多孔性の熱可塑性樹脂シートを用いることが好ましい。このようなシートとしては、例えば、熱可塑性樹脂中に無機充填剤を混錬してシートを形成した後に、延伸することにより得られるシートを用いることができる。
【００５０】
〔サイドシート、カバーシート〕
紙おむつ１は、トップシート１１、吸収体１０、シート３０及びバックシート１２を含む積層体に対して積層されるサイドシート１３及びカバーシート１４をさらに備えている。サイドシート１３は、上記積層体の幅方向側方に配置される。また、カバーシート１４は上記積層体の非肌面側に配置される。サイドシート１３とカバーシート１４と上記積層体とは、ホットメルト接着剤等の公知の接着剤によって、全面又は一部が貼合される。
【００５１】
サイドシート１３の肌面側のうちの幅方向内側の端縁に、立体ギャザー１６が形成される。サイドシート１３は、トップシート１１及びバックシート１２の幅方向側方のそれぞれに設けられている。サイドシート１３は、トップシート１１の幅方向側部において肌面側に積層されるとともに、バックシート１２の幅方向側部において非肌面側に積層される。
【００５２】
サイドシート１３は、幅方向側方への液漏れを防ぐため、非透水性をもつ材料で構成されることが好ましい。サイドシート１３としては、スパンボンド不織布を用いることができる。また、サイドシート１３の一部は、紙おむつ１において最も肌面側に配置される。なお、このことから、サイドシート１３はトップシート１１と同様に「トップシート」と称されることがある。このように、着用者に対して接触しうるサイドシート１３としては、ＳＭＳ不織布やＳＭＭＳ（Spunbound Meltblown Meltblown Spunbound）不織布のようにメルトブローン層を含ませることにより、柔軟性を高めたスパンボンド不織布を用いることが好ましい。あるいは、スパンボンド不織布をなす繊維の繊度や目付量が抑えられることにより、柔軟性を向上させたスパンボンド不織布を用いることが好ましい。
【００５３】
なお、「繊度」とは、繊維の繊維径（太さ）や断面積に対応するパラメータであり、所定の長さあたりの重量で表される。例えば、一本の繊維について９０００ｍあたりのグラム数（デニール）が「繊度」として用いられる。
また、「目付量」とは、シートの厚みあるいは積層度合いに対応するパラメータであり、単位面積あたりの重量で表される。例えば、一平米あたりのグラム数が「目付量」として用いられる。
【００５４】
カバーシート１４は、トップシート１１、吸収体１０、シート３０及びバックシート１２を含む積層体を非肌面側から被覆するシート状の部材である。カバーシート１４は、紙おむつ１で最も非肌面側に配置されることで、バックシート１２を補強し、バックシート１２の手触り（触感）を良好にするために用いられる。ここでは、バックシート１２の幅方向側部において、サイドシート１３を介してカバーシート１４が重ねられる。カバーシート１４として、肌面側から非肌面側に向けて第一カバーシート１４１、第二カバーシート１４２、第三カバーシート１４３の三つがこの順に積層されている。
【００５５】
第一カバーシート１４１は、バックシート１２を介して吸収体１０を非肌面側から被覆する。このことから、第一カバーシート１４１は「パッドカバーシート」とも称される。
第二カバーシート１４２及び第三カバーシート１４３は、前身頃１Ａ及び後身頃１Ｃ（図１参照）で第一カバーシート１４１よりも幅方向寸法が大きく設定され、着用状態で着用者の臀部や腰、腹などのまわりに配置される。第三カバーシート１４３は、紙おむつ１において最も非肌面側に配置される。このことから、第三カバーシート１４３は「アウターカバーシート」とも称され、第二カバーシート１４２は「インナーカバーシート」とも称される。
【００５６】
カバーシート１４を構成する材料としては、例えば、織布、不織布等を挙げることができる。中でも、ポリエチレン、ポリプロピレン、ポリエステル等の熱可塑性樹脂からなる不織布、湿式不織布を用いることが好ましい。特には、触感（手触り）を確保するために柔軟性の観点から、カバーシート１４としては、スパンボンド不織布を好適に用いることができる。
【００５７】
図１に示すように、前身頃１Ａにおけるカバーシート１４と後身頃１Ｃにおけるカバーシート１４とは、それぞれ幅方向端縁部１４ａ同士が互いに貼り付けられる（いわゆる「サイドシール」）。このようにして、前身頃１Ａ及び後身頃１Ｃの各カバーシート１４が連設され、パンツ型の紙おむつ１が形成される。
【００５８】
〔ギャザー〕
次に、図１及び図２を参照して、紙おむつ１のギャザー１５について述べる。
ギャザー１５は、ゴムやポリウレタン、伸縮フィルムといった伸縮性をもつ部材（伸縮性部材）を伸張状態で不織布等のシートの間に挟んでホットメルト等で固定することによって伸縮性をもたせたシート複合体から構成される。このシート複合体は、伸縮性部材が伸張状態から元の状態（自然長の状態）に戻ろうとする力（復元力、弾性力）で不織布等のシートに細かな皺が寄った状態となる。ここでは、伸縮性部材として糸状のゴム部材（以下「糸ゴム」と略称する）２０を例示する。
【００５９】
この紙おむつ１には、糸ゴム２０で形成されるギャザー１５として、三種の糸ゴム２１，２２，２３で伸縮性が付与された三種のギャザー１６，１７，１８を例示する。一つは、サイドシート１３の肌面側端縁部が第一糸ゴム２１で皺寄せられた立体ギャザー１６（「サイドギャザー」とも称される）である。もう一つは、第二カバーシート１４２及び第三カバーシート１４３（図２参照）が第二糸ゴム２２で皺寄せられたタミーギャザー１７である。更にもう一つは、サイドシート１３の非肌面側において幅方向端縁部が第三糸ゴム２３（図１では図示省略）で皺寄せられたセカンド立体ギャザー１８（図１では図示省略）である。
【００６０】
立体ギャザー１６は、排泄箇所の周縁で着用者に対する追従性を高めることにより、排泄物の幅方向側方への漏れを防ぐために設けられる。詳細に言えば、図２に示すように、立体ギャザー１６では、サイドシート１３の肌面側における幅方向内側の端縁部に位置するシート部１３ａ，１３ｂが折り曲げられて重ねられる。これらのシート部１３ａ，１３ｂによって、長手方向に延在する第一糸ゴム２１が囲まれている。
【００６１】
タミーギャザー１７は、着用者の臀部や下腹部に対する追従性を高めるために設けられる。詳細に言えば、タミーギャザー１７では、平織物における縦糸または経糸のように、幅方向に延びる複数の第二糸ゴム２２が、第二カバーシート１４２及ぶ第三カバーシート１４３（図２参照）の間に介装されている。
【００６２】
セカンド立体ギャザー１８は、股下部１Ｂで追従性を高めるために設けられる。詳細に言えば、セカンド立体ギャザー１８では、サイドシート１３の非肌面側における幅方向外側の端縁部に第三糸ゴム２３が設けられる。
その他、上述したギャザー１６，１７，１８に加えてまたは替えて、着用者の脚部の付け根に対する追従性を高めるためのレッグギャザーを設けてもよい。
【００６３】
［２．作用及び効果］
本実施形態の紙おむつ１は、上述したように構成されるため、下記の作用及び効果を得ることができる。
【００６４】
一方向に延在する溝状構造を表面に有するシート３０を、吸収体１０の非肌面側に配置することで、吸収体１０の非肌面側に漏出した排泄水分をシート３０の延在面に沿って拡散し、排泄水分を吸収体１０の非肌面側から吸収体１０に吸収させることができる。また、シート３０と吸収体１０との間には、複数の第一凸部３０ａと複数の第二凸部３０ｂにより構成される溝状構造によって、空隙が形成されるため通気性に優れる。
したがって、シート３０を備えた吸収性物品によれば、着用者から排泄される水分を吸収体１０の肌面側及び非肌面側の全域に拡散し、当該水分を吸収体１０に効率よく吸収させることができる。また、排泄水分の吸収性に優れるため、吸収体１０に吸収された水分が肌面側に逆戻りする液戻り（ウェットバック）が抑制される。さらに、漏出した排泄水分の揮発性に優れるため、着用者の快適性が向上する。
【００６５】
［ＩＩ．第二実施形態］
次に、紙おむつの第二実施形態を述べる。
本実施形態の紙おむつでは、ここで説明する点を除いては、第一実施形態と同様の構成である。これらの構成については、同様の符号を付し、詳細な説明は省略する。
【００６６】
図１０に示すように、本実施形態の紙おむつでは、シート３０に対して着用者の肌面側に複数の吸収体１０’が配置される。また、吸収体１０’の幅方向寸法及び／又は長手方向寸法は、吸収体１０よりも小さい。この場合、吸収体１０’は長手方向Ｌ及び／又は幅方向Ｗに沿って互いに離間配置されることが好ましい。隣接する吸収体１０’同士の間隔は特に限定されない。なお、第一実施形態で述べた吸収体１０と同様に、吸収体１０’に複数の貫通孔１０ａを設けてもよい。
【００６７】
［作用及び効果］
図１０に示すように、吸収体１０’を離間配置することで、第一実施形態において詳述した貫通孔１０ａと同様の効果が奏される。つまり、排泄水分が複数配置された吸収体１０’の間を透過し、吸収体１０’の非肌面側に配置されたシート３０の溝状構造に沿って拡散する。そのため、排泄水分は吸収体１０’の非肌面側からも吸収される。また、排泄水分は、吸収体１０’の間を透過する際に、吸収体１０’の側面においても効率よく吸収される。
したがって、吸収体１０’の非肌面側にシート３０を配置することで、排泄水分の吸収性が向上する。
【００６８】
［ＩＩＩ．その他］
上述した実施形態はあくまでも例示に過ぎず、この実施形態で明示しない種々の変形や技術の適用を排除する意図はない。本実施形態の各構成は、それらの趣旨を逸脱しない範囲で種々変形して実施することができる。また、必要に応じて取捨選択することができ、適宜組み合わせることもできる。
【００６９】
例えば、吸収体１０とシート３０との間や、トップシート１１と吸収体１０との間に、液透過性の材料からなるシートを配置してもよい。また、シート３０をバックシート１２として用いることもできる。
【００７０】
また、図１１に示すように、貫通孔１０ａを有する吸収体１０の非肌面側であって、貫通孔１０ａに対応する部分のみ又はその近傍を含む部分に、溝状構造の延在方向の異なる複数のシート３０を配置してもよい。また、表面において一方向に延在する凸部３０ａ，３０ｂ（一方向に延在する溝状構造）を、複数方向に延在させる構成としたシート３０を、吸収体１０の非肌面側に配置してもよい。つまり、このシート３０では、溝状構造の少なくとも一部が長手方向Ｌに対して所定の角度（例えば、３０〜９０°）を有する。このようなシート３０を、貫通孔１０ａを有する吸収体１０の非肌面側に配置することで、排泄水分を吸収体１０の所定位置に誘導し、吸収体１０の非肌面側において排泄水分を吸収体１０全域に拡散できる。その結果、吸収体１０の非肌面側の全体で排泄水分をバランスよく保持することが可能になる。
【００７１】
また、シート３０に貫通孔を設けたシートを、吸収体１０の肌面側に配置することもできる。また、複数のシート３０を吸収体１０の肌面側に配置してもよい。このような構成とすることで、吸収体１０の肌面側及び非肌面側において排泄水分を吸収体１０全域に拡散しやすくなり、吸収体１０の肌面側及び非肌面側の全体で排泄水分をバランスよく保持することが可能になる。なお、吸収体１０の肌面側に上記シートを配置する場合には、シートの非肌面側に凸部３０ａ，３０ｂを突出させた構成としてもよい。このような構成とすることで、排泄水分が貫通孔又は隣接するシート同士の間を透過し、吸収体１０の肌面側に誘導され、シートの非肌面側の溝状構造（一方向に延在する凸部３０ａ，３０ｂ）に沿って吸収体全域に拡散される。
【００７２】
また、シート３０の一方向に延在する溝状構造の端部側（縁側）には吸収体１０を存在させる、または、別途吸収体１０を設ける構成が好ましい。このような構成とすることで、シート３０の縁側に到達した排泄水分が紙おむつ１外へ漏洩することを抑制・低減できる。
【００７３】
また、シート３０として、少なくとも一方の面に溝が設けられた液不透過性のシートを用いてもよい。このようなシートとしては、例えば、一方向に延在し厚み方向Ｔの肌面側に突出する第一凸部３０ａを表面に有し、第二凸部３０ｂを有さないシートが挙げられる。
【００７４】
なお、シート３０は、シート本体を有し、このシート本体が複数の第一凸部３０ａと複数の第二凸部３０ｂとを備え、第一凸部の突出寸法Ｈ１が第二凸部の突出寸法Ｈ２よりも大きいものである。つまり、本実施形態では、シート本体を省略してシート３０と記載しており、シート３０にはシート本体が含まれる。また、シート３０と同様に、他のシートにも「シート本体」という概念が含まれることを念のために付言する。
【符号の説明】
【００７５】
１              紙おむつ
１Ａ            前身頃
１Ｂ            股下部
１Ｃ            後身頃
１０，１０’    吸収体
１０ａ          貫通孔
１１            トップシート
１２            バックシート
１３            サイドシート
１４            カバーシート
１５            ギャザー
２０            糸ゴム
３０            シート
３０ａ          第一凸部
３０ｂ          第二凸部
３０ｄ          第一溝
３０ｅ          第二溝
【図１】
2019063323.tif 000003
【図２】
2019063323.tif 000004
【図３】
2019063323.tif 000005
【図４】
2019063323.tif 000006
【図５】
2019063323.tif 000007
【図６】
2019063323.tif 000008
【図７】
2019063323.tif 000009
【図８】
2019063323.tif 000010
【図９】
2019063323.tif 000011
【図１０】
2019063323.tif 000012
【図１１】
2019063323.tif 000013